(57)【要約】【課題】同時に入力された２つの番組のアナログ信号を１つのＡＤ変換回路を介して記録媒体に同時に記録可能とすること、すなわち、１つのＡＤ変換回路によって２つの番組のアナログ信号を同時にＡＤ変換可能とする。【解決手段】マイコン１２は、２つの外部入力端子２ａ，２ｂから同時に入力された２つの番組のアナログ信号を、入力信号処理部３ａを構成する１つのＡＤ変換回路を介して例えばＨＤＤ部６に同時に記録する記録制御機能を備えており、前記ＡＤ変換回路の変換ビットが上位ビットと下位ビットに２分割されている場合において、マイコン１２は、前記上位ビットに前記１つの番組のアナログ信号を割り当ててＡＤ変換させるとともに、前記下位ビットに前記他の１つの番組のアナログ信号を割り当ててＡＤ変換させ、変換後の全ビットのデジタル信号を記録専用フォーマットに再変換させてＨＤＤ部６に記録する。【選択図】図１
2009080908.tif 000002
【特許請求の範囲】
【請求項１】
２つの入力端子から同時に入力された２つの番組のアナログ信号を１つのＡＤ変換回路を介して記録媒体に同時に記録する記録制御手段と、前記記録媒体に同時に記録された２つの番組のデジタル信号を１つのＤＡ変換回路を介して個別にアナログ信号に変換して出力する再生制御手段とを備えた情報記録再生装置において、
前記記録制御手段は、前記ＡＤ変換回路の変換ビットを上位ビットと下位ビットに２分割し、前記上位ビットに前記１つの番組のアナログ信号を割り当ててＡＤ変換するとともに、前記下位ビットに前記他の１つの番組のアナログ信号を割り当ててＡＤ変換し、変換後の全ビットのデジタル信号を記録専用フォーマットに再変換して前記記録媒体に記録することを特徴とする情報記録再生装置。
【請求項２】
前記再生制御手段は、前記記録媒体から読み出した全ビットのデジタル信号をＤＡ変換用フォーマットに再変換し、前記ＤＡ変換回路の変換ビットを上位ビットと下位ビットに２分割し、入力された１つの番組の再生指示に従って上位ビットまたは下位ビットのいずれかに割り当てられたデジタル信号をアナログ信号に変換して出力することを特徴とする請求項１に記載の情報記録再生装置。
【請求項３】
前記再生制御手段は、同時に入力された２つの番組のアナログ信号を、信号レベルを変換することによって個別に処理することを特徴とする請求項１に記載の情報記録再生装置。
【発明の詳細な説明】
【技術分野】
【０００１】
本発明は、２つの入力端子から同時に入力された２つの番組のアナログ信号を１つのＡＤ変換回路を介して記録媒体に同時に記録する記録制御手段と、記録媒体に同時に記録された２つの番組のデジタル信号を１つのＤＡ変換回路を介して個別にアナログ信号に変換して出力する再生制御手段とを備えた情報記録再生装置に関する。
【背景技術】
【０００２】
従来から、同時に受信された２つの番組のアナログ映像音声信号を、それぞれに対応して設けられたＡＤ変換回路によりそれぞれデジタル映像音声信号に変換し、ディスクに設けられたそれぞれの記録領域に同時に記録（録画）するディスク録画再生装置が提案されている（例えば、特許文献１参照）。
【特許文献１】特開２００３−２２４８１３号公報
【発明の開示】
【発明が解決しようとする課題】
【０００３】
すなわち、ＡＤ変換回路やＤＡ変換回路は、従来１つの信号に対してしか変換できず、２つの信号を変換するためには、上記特許文献１のようにそれぞれに対応した２つのＡＤ変換回路及びＤＡ変換回路を搭載する必要があった。そのため、２つの番組のアナログ信号を同時にディスクに記録するための回路構成が複雑になり、製造コストが高くなるといった問題があった。また、ディスクに２つの番組を記録する場合、ディスクに２つの番組を記録するための領域を個別に確保しなければならず、ディスクの記録容量が少ない場合には、２つの番組を同時に記録することができないといった問題もあった。
【０００４】
本発明はかかる問題点を解決すべく創案されたもので、その目的は、同時に入力された２つの番組のアナログ信号を１つのＡＤ変換回路を介して記録媒体に同時に記録可能とすること、すなわち、１つのＡＤ変換回路によって２つの番組のアナログ信号を同時にＡＤ変換可能な情報記録再生装置を提供することにある。
【課題を解決するための手段】
【０００５】
上記課題を解決するため、本発明の情報記録再生装置は、２つの入力端子から同時に入力された２つの番組のアナログ信号を１つのＡＤ変換回路を介して記録媒体に同時に記録する記録制御手段と、前記記録媒体に同時に記録された２つの番組のデジタル信号を１つのＤＡ変換回路を介して個別にアナログ信号に変換して出力する再生制御手段とを備えた情報記録再生装置において、前記記録制御手段は、前記ＡＤ変換回路の変換ビットを上位ビットと下位ビットに２分割し、前記上位ビットに前記１つの番組のアナログ信号を割り当ててＡＤ変換するとともに、前記下位ビットに前記他の１つの番組のアナログ信号を割り当ててＡＤ変換し、変換後の全ビットのデジタル信号を記録専用フォーマットに再変換して前記記録媒体に記録することを特徴としている。
【０００６】
すなわち、前記再生制御手段は、同時に入力された２つの番組のアナログ信号を、信号レベルを変換することによって分離し個別に抽出する。そして、抽出した１つの番組のアナログ信号を、ＡＤ変換回路の上位ビットに割り当ててＡＤ変換するとともに、抽出した他の１つの番組のアナログ信号を、ＡＤ変換回路の下位ビットに割り当ててＡＤ変換する。すなわち、本来は１つの番組の１画像分のデータを変換するＡＤ変換回路の変換ビットを上位ビットと下位ビットに２分割し、分割した各ビットに各番組の１画像分のデータを割り当ててそれぞれＡＤ変換し、変換後の全ビットのデジタル信号を仮想的に１番組の１画像データとして扱って、従来通り記録専用フォーマットに再変換して、光ディスク等の記録媒体に記録するようになっている。これにより、１つのＡＤ変換回路しか搭載していない情報記録再生装置であっても、そのＡＤ変換方式を生かして２番組を同時に記録できるとともに、本来１番組を記録する領域に２番組が記録されるため、少ない記録容量にも対応することが可能となる。
【０００７】
一方、前記再生制御手段は、前記記録媒体から読み出した全ビットのデジタル信号をＤＡ変換用フォーマットに再変換し、前記ＤＡ変換回路の変換ビットを上位ビットと下位ビットに２分割し、入力された１つの番組の再生指示に従って、上位ビットまたは下位ビットのいずれかに割り当てられたデジタル信号をアナログ信号に変換して出力することを特徴としている。この場合、上位ビットまたは下位ビットのいずれかに割り当てられたデジタル信号は、従来のデジタル信号の半分のデータ量であるため、アナログ信号に変換する前に信号補間を行って正規の１画像分のデータ量に変換し、この後、アナログ信号に変換してモニタ等の表示装置に出力する。
【０００８】
このように、本発明によれば、２つの番組のアナログ信号を、ＡＤ変換に際して足し合わせることなく、各々独立させた形でＡＤ変換するため、信号処理が複雑にならず、処理するデータ量も増加しないので、１つのＡＤ変換回路しか搭載していない情報記録再生装置であっても、同時に受信している２番組を記録媒体に同時に記録することが可能となる。
【発明の効果】
【０００９】
本発明によれば、本来は１つの番組の１画像分のデータを変換するＡＤ変換回路の変換ビットを上位ビットと下位ビットに２分割し、分割した各ビットに各番組の１画像分のデータを割り当ててそれぞれＡＤ変換し、変換後の全ビットのデジタル信号を仮想的に１番組の１画像データとして扱って、従来通り記録専用フォーマットに再変換して、光ディスク等の記録媒体に記録するように構成したので、１つのＡＤ変換回路しか搭載していない情報記録再生装置であっても、そのＡＤ変換方式を生かして２番組を同時に記録することができる。また、本来１番組を記録する領域に２番組が記録されるため、少ない記録容量にも十分に対応することができるものである。
【発明を実施するための最良の形態】
【００１０】
以下、本発明の実施の形態について、図面を参照して説明する。
【００１１】
図１は、本発明の一実施形態である情報記録再生装置の機能ブロック図であり、ここではハードディスク内蔵型ＤＶＤレコーダを例示している。
【００１２】
本実施形態の情報記録再生装置１００は、アンテナ１６により受信されたアナログ放送信号やデジタル放送信号等のテレビ放送から選択されたチャンネルの番組放送を受信するチューナ１と、図示しない外部機器等が接続される少なくとも２つの外部入力端子２ａ，２ｂと、チューナ１で受信した番組の映像音声信号や外部入力端子２から入力された番組の映像音声信号を処理する入力信号処理部３ａと、信号処理後の映像音声信号をＤＶＤ（Ｄｉｇｉｔａｌ Ｖｅｒｓａｔｉｌｅ Ｄｉｓｋ）等の光ディスクに記録再生するＤＶＤ部５と、信号処理後の映像音声信号をハードディスク（ＨＤ）に記録再生するＨＤＤ（Ｈａｒｄ Ｄｉｓｋ Ｄｒｉｖｅ）部６と、これらＤＶＤ部５及びＨＤＤ部６の記録再生を制御するストレージ制御部７と、ＤＶＤ部５またはＨＤＤ部６から再生された番組の映像音声信号を処理する出力信号処理部３ｂと、文字情報信号を映像信号に重畳して、文字情報をモニタ装置３０の画面に表示するＯＳＤ（Ｏｎ−Ｓｃｒｅｅｎ Ｃｈａｒａｃｔｅｒ Ｄｉｓｐｌａｙ）回路８と、音声信号を増幅してスピーカ４０を駆動する音声出力回路９と、本装置のシステム全体を制御するマイコン１２と、各種データを記憶するメモリ部（ＥＥＰＲＯＭやフラッシュメモリ等）１３と、リモコン２０から送信された赤外線信号のリモコン信号を受信して、所定の電気信号に変換するリモコン受信部１５とで構成されている。
【００１３】
上記構成の情報記録再生装置１００において、本実施形態では、マイコン１２は、２つの入力端子２ａ，２ｂから同時に入力された２つの番組のアナログ映像音声信号を、入力信号処理部３ａを構成する１つのＡＤ変換回路３５（図２参照）を介してＤＶＤ部５の光ディスクやＨＤＤ部６のハードディスクに同時に記録する記録制御機能と、光ディスクやハードディスクに同時に記録された２番組のデジタル映像音声信号を、出力信号処理部３ｂを構成する１つのＤＡ変換回路４２（図４参照）を介して個別にアナログ信号に変換して出力する再生制御機能とを備えている。
【００１４】
図２は、入力信号処理部３ａの回路構成例を示す機能ブロック図である。
【００１５】
入力信号処理部３ａは、各外部入力端子２ａ，２ｂから入力される２つの番組のアナログ映像音声信号（図中の信号１，信号２）を、信号レベルを変換することによって２つに分離し、個別に抽出する信号レベル変換回路３１と、信号レベル変換回路３１によって分離抽出された各番組のアナログ映像音声信号を一旦蓄積する第１バッファ回路３２及び第２バッファ回路３３と、第１バッファ回路３２からＡＤ変換回路３５に出力するタイミングと第２バッファ回路３３からＡＤ変換回路３５に出力するタイミングとをマイコン１２からの制御によって切り換える切換回路３４と、ＡＤ変換回路３５によって変換された全ビットの映像音声データを従来の記録専用フォーマットに再変換して出力する記録フォーマット変換回路３６とで構成されている。信号レベル変換回路３１は、一方の入力信号にバイアスをかけて信号レベルを変換することで、同時に入力された２つの番組のアナログ映像音声信号を分離、抽出する構成となっている。
【００１６】
ここで、ＡＤ変換回路３５は、図４に示すように、全変換ビットが上位ビットＢ１と下位ビットＢ２に２分割されており、切換回路３４は、２番組の同時記録モードにおいて、第１バッファ回路３２から出力された１つの番組のアナログ映像音声信号（信号１）をＡＤ変換回路３５の例えば上位ビットＢ１に割り当て、第２バッファ回路３３から出力されたアナログ映像音声信号（信号２）をＡＤ変換回路３５の下位ビットＢ２に割り当てるように、切り換えタイミングが制御される。
【００１７】
すなわち、本来は１つの番組の１画像分のデータを変換するＡＤ変換回路３５の全変換ビット（Ｂ１＋Ｂ２）を、上位ビットＢ１と下位ビットＢ２に２分割し、分割した各ビットＢ１，Ｂ２に各番組の１画像分のデータを割り当ててそれぞれＡＤ変換するようになっている。そして、変換後の全ビット（Ｂ１＋Ｂ２）のデジタル映像音声信号を仮想的に１番組の１画像データとして扱って、記録フォーマット変換回路３６により従来通り記録専用フォーマットに再変換して、光ディスクやハードディスクに記録するようになっている。これにより、１つのＡＤ変換回路３５しか搭載していない情報記録再生装置１００であっても、そのＡＤ変換方式を生かして２番組を同時に記録できるとともに、本来１番組を記録する領域に２番組が記録されるため、少ない記録容量にも対応することが可能となる。
【００１８】
なお、１つの番組の１画像分のデータ量が従来の１／２になり、再生したときにはその分画質が若干落ちることになるが、後述する補間処理等によって十分に視聴可能な画質を得ることができる。
【００１９】
図３は、出力信号処理部３ｂの回路構成例を示す機能ブロック図である。
【００２０】
出力信号処理部３ｂは、光ディスクまたはハードディスクから読み出された全ビットのデジタル映像音声信号を従来通りＤＡ変換用フォーマットに再変換する再生フォーマット変換回路４１と、再変換されたデジタル映像音声信号をアナログ映像音声信号に変換するＤＡ変換回路４２とで構成されている。
【００２１】
ここで、ＤＡ変換回路４２も、図４に示すように、全変換ビットが上位ビットＢ１と下位ビットＢ２に２分割されており、再生モード時には、リモコン２０等から入力された１つの番組の再生指示に従ったリモコン１２からの制御により、上位ビットＢ１または下位ビットＢ２のいずれかに割り当てられた１番組のデジタル映像音声信号をアナログ映像音声信号に変換して出力するようになっている。この場合、上位ビットＢ１または下位ビットＢ２のいずれかに割り当てられたデジタル映像音声信号は、従来の１画像分のデジタル映像音声信号の半分のデータ量であるため、アナログ信号に変換する前に信号補間を行って正規の１画像分のデータ量（変換ビット数）に変換し、この後、アナログ信号に変換してモニタ装置３０に出力する。
【００２２】
本発明によれば、２つの番組のアナログ映像音声信号を、ＡＤ変換に際して足し合わせることなく、上位ビットと下位ビットにそれぞれ割り当てるといった各々独立させた形でＡＤ変換するため、信号処理が複雑にならず、処理するデータ量も増加しないので、１つのＡＤ変換回路しか搭載していない情報記録再生装置であっても、同時に受信している２番組を記録媒体に同時に記録することが可能となる。同様に、ＤＡ変換に際しても、独立しているデジタル映像音声信号を各々個別に再生すればよいので、信号処理が複雑にならず、処理するデータ量も増加することはない。
【００２３】
なお、上記実施形態では、２つの外部入力端子２ａ，２ｂから同時に入力されたアナログ映像音声信号を分離するために、一方の入力信号にバイアスをかけて信号レベルを変換する構成としているが、このような構成に限定されるものではない。例えば、各外部入力端子２ａ，２ｂに対応させてそれぞれ復調回路を設け、各番組のアナログ映像音声信号を個別に取り出す構成としてもよい。
【００２４】
また、上記実施形態では、同時に入力される２番組のアナログ映像音声信号が、２つの外部入力端子２ａ，２ｂから入力される構成として説明しているが、一方の外部入力がアンテナ１６を介してチューナ１から入力されるアナログ映像音声信号であり、他方の外部入力が一方の外部入力端子２ａまたは２ｂから入力されるアナログ映像音声信号であっても同様に処理することが可能である。
【００２５】
さらに、上記実施形態では、２番組のアナログ映像音声信号が同時に入力された場合の記録動作（２番組同時記録動作）について説明しているが、１つの外部入力端子から１番組のアナログ映像音声信号のみが入力されている場合には、ＡＤ変換回路３５の変換ビットを２分割することなく、従来通りの記録動作（１番組記録動作）を行えばよい。また、再生動作に関しても、２番組を仮想的に１番組として記録している場合を除き、通常通りの再生動作を行えばよい。なお、２番組同時記録か１番組記録かの判別は、マイコン１２が記録動作時に各外部入力端子２ａ，２ｂ（チューナ１からの入力も含む）からの入力状況を監視することで判別することが可能であるが、この他にも、リモコン２０に２番組同時記録（録画）用のスイッチを設けておき、このスイッチをユーザが操作することによって２番組同時記録動作に移行するように構成してもよい。また、再生に際しては、記録されている番組が１番組記録であるのか２番組同時記録であるのかの識別情報を付加して記録し、再生時にマイコン１２がこの識別情報を判別することで、再生動作を選択するように構成すればよい。
【図面の簡単な説明】
【００２６】
【図１】本発明の一実施形態である情報記録再生装置の機能ブロック図である。
【図２】入力信号処理部のより具体的な回路構成例を示す機能ブロック図である。
【図３】出力信号処理部のより具体的な回路構成例を示す機能ブロック図である。
【図４】ＡＤ変換回路及びＤＡ変換回路の変換ビットの分割例を示す説明図である。
【符号の説明】
【００２７】
１  チューナ
２ａ，２ｂ  外部入力端子
３ａ  入力信号処理部
３ｂ  出力信号処理部
５  ＤＶＤ部
６  ＨＤＤ部
７  ストレージ制御部
３  ＯＳＤ回路
９  音声出力回路
１２  マイコン
１３  メモリ
１５  リモコン受信部
２０  リモコン
３０  モニタ装置
３１  信号レベル変換回路
３２  第１バッファ回路
３３  第２バッファ回路
３４  切換回路
３５  ＡＤ変換回路
３６  記録フォーマット変換回路
４０  スピーカ
４１  再生フォーマット変換回路
４２  ＤＡ変換回路
１００  情報記録再生装置
【図１】
2009080908.tif 000003
【図２】
2009080908.tif 000004
【図３】
2009080908.tif 000005
【図４】
2009080908.tif 000006